(57)【要約】 【課題】  血液中のＨＤＬ−コレステロールの測定において、人手を介して行わなければならず手間がかかった。 【解決手段】  軸心よりその外周方向に向かって順に、検体の注入口を有する第１のチャンバーと、ＨＤＬ−コレステロール以外のコレステロール成分を凝集させる試薬を保持した第２のチャンバーと、予め決定された容積の検体を分取する第３のチャンバーと、ＨＤＬ−コレステロールと反応して変色する試薬群を保持し、かつ変色を検出するための第４のチャンバーとを備えるとともに、各チャンバー間はそれぞれ、毛細管力を有する第１から第３の流路で連結する。第１から第３の流路はそれぞれ逆「Ｕ字」状に折り曲げ、その頂部を上流側のチャンバー内に入る検体の上端より軸心側に位置させる構成とする。【選択図】  図５
2006214955.tif 000002
【特許請求の範囲】
【請求項１】
軸心よりその外周方向に向かって順に、検体の注入口を有する第１のチャンバーと、ＨＤＬ−コレステロール以外のコレステロール成分を凝集させる試薬を保持した第２のチャンバーとを備え、前記第１と第２のチャンバー間を、毛細管力を有する第１の流路で連結するとともに、前記第１の流路は逆「Ｕ字」状に折り曲げられるとともに、前記逆「Ｕ字」の頂部は前記第１のチャンバー内に入る検体の上端より前記軸心側に位置していることを特徴とするＨＤＬ−コレステロール分析用ディスク。
【請求項２】
軸心よりその外周方向に向かって順に、検体の注入口を有する第１のチャンバーと、ＨＤＬ−コレステロール以外のコレステロール成分を凝集させる試薬を保持した第２のチャンバーと、予め決定された容積の検体を分取する第３のチャンバーとを備え、前記第１と第２のチャンバー間、前記第２と第３のチャンバー間はそれぞれ、毛細管力を有する第１と第２の流路で連結されるとともに、前記第１と第２の流路はそれぞれ逆「Ｕ字」状に折り曲げられるとともに、前記逆「Ｕ字」の頂部は上流側のチャンバー内に入る検体の上端より前記軸心側に位置していることを特徴とするＨＤＬ−コレステロール分析用ディスク。
【請求項３】
軸心よりその外周方向に向かって順に、検体の注入口を有する第１のチャンバーと、ＨＤＬ−コレステロール以外のコレステロール成分を凝集させる試薬を保持した第２のチャンバーと、予め決定された容積の検体を分取する第３のチャンバーと、ＨＤＬ−コレステロールと反応して変色する試薬を保持し、かつ前記反応による変色を検出するための第４のチャンバーとを備え、前記第１と第２のチャンバー間、前記第２と第３のチャンバー間、及び前記第３と第４のチャンバー間はそれぞれ、毛細管力を有する第１から第３の流路で連結されるとともに、前記第１から第３の流路はそれぞれ逆「Ｕ字」状に折り曲げられるとともに、前記逆「Ｕ字」の頂部は上流側のチャンバー内に入る検体の上端より前記軸心側に位置していることを特徴とするＨＤＬ−コレステロール分析用ディスク。
【請求項４】
前記第２のチャンバーにＨＤＬ−コレステロール以外のコレステロール成分を凝集させる試薬を保持させるのではなく、第１のチャンバーと第２のチャンバーとの間に、前記各チャンバーにそれぞれ流路にて連結するように設けたチャンバー内に、前記試薬を保持させるようにしたことを特徴とする請求項１から３のいずれかに記載のＨＤＬ−コレステロール分析用ディスク。
【請求項５】
ＨＤＬ−コレステロール以外のコレステロール成分を凝集させる試薬が、リンタングステン酸ナトリウムと塩化マグネシウムの組み合わせからなる試薬であるか、もしくはリンモリブデン酸、タングステン酸、モリブデン酸等の無機塩類、またはデキストラン硫酸、ヘパリン、硫酸アミロース、アミロペクチン硫酸等の硫酸多糖類よりなる群から選ばれるポリアニオン化合物と、カルシウム、マンガン、コバルト、ニッケル、ストロンチウム、亜鉛、バリウム、銅から選ばれた２価の金属イオンを有する化合物と、アルミニウム、鉄、クロムから選ばれた２価以外の金属イオンを有する化合物と、アンモニウムイオンを有する化合物よりなる群から選ばれる水溶性の前記化合物とのいずれかの組み合わせからなる試薬であることを特徴とする請求項１から４のいずれかに記載のＨＤＬ−コレステロール分析用ディスク。
【請求項６】
ＨＤＬ−コレステロールと反応する試薬が、テトラゾリウム塩を含むことを特徴とする請求項１から３のいずれかに記載のＨＤＬ−コレステロール分析用ディスク。
【請求項７】
第１のチャンバーより外周側に、前記第１のチャンバーからの検体が流入すべく第４の流路で連結されるとともに、予め決定された容積の検体を分取する第５のチャンバーと、総コレステロールと反応して変色する試薬を保持し、かつ前記反応による変色を検出するための第６のチャンバーとを備え、前記第１と第５のチャンバー間、前記第５と第６のチャンバー間はそれぞれ、毛細管力を有する第４と第５の流路で連結されるとともに、前記第４と第５の流路はそれぞれ逆「Ｕ字」状に折り曲げられるとともに、前記逆「Ｕ字」の頂部は上流側のチャンバー内に入る検体の上端より前記軸心側に位置していることを特徴とする請求項３に記載のＨＤＬ−コレステロール分析用ディスク。
【請求項８】
第１のチャンバーより外周側に、前記第１のチャンバーからの検体が流入すべく第６の流路で連結されるとともに、予め決定された容積の検体を分取する第７のチャンバーと、トリグリセライドと反応して変色する試薬を保持し、かつ前記反応による変色を検出するための第８のチャンバーとを備え、前記第１と第７のチャンバー間、前記第７と第８のチャンバー間はそれぞれ、毛細管力を有する第６と第７の流路で連結されるとともに、前記第６と第７の流路はそれぞれ逆「Ｕ字」状に折り曲げられるとともに、前記逆「Ｕ字」の頂部は上流側のチャンバー内に入る検体の上端より前記軸心側に位置していることを特徴とする請求項３に記載のＨＤＬ−コレステロール分析用ディスク。
【請求項９】
請求項１に記載のＨＤＬ−コレステロール分析用ディスクが装着され、前記ＨＤＬ−コレステロール分析用ディスクの軸心周りに遠心力を発生させる遠心力発生手段と、前記遠心力発生手段から発生する遠心力の強さを制御する制御手段とを備えており、検体として全血を前記第１のチャンバーに注入した後、遠心力発生手段により遠心力を与えることでこの第１のチャンバー内で血球成分を分離し、その後、遠心力制御手段により、遠心力を停止或いは弱めた後、再び遠心力を与えることで血漿成分のみを前記第２のチャンバーへ移動させ、この第２のチャンバーでＨＤＬ−コレステロール以外のコレステロール成分を凝集させた後、凝集物を遠心力により分離し、その後遠心力を停止或いは弱め、再び遠心力を与えることでＨＤＬ−コレステロールのみのコレステロール成分を含む血漿を得るようにすることを特徴とするＨＤＬ−コレステロール分析用装置。
【請求項１０】
請求項２に記載のＨＤＬ−コレステロール分析用ディスクが装着され、前記ＨＤＬ−コレステロール分析用ディスクの軸心周りに遠心力を発生させる遠心力発生手段と、前記遠心力発生手段から発生する遠心力の強さを制御する制御手段とを備えており、
検体として全血を前記第１のチャンバーに注入した後、遠心力発生手段により遠心力を与えることでこの第１のチャンバー内で血球成分を分離し、その後、遠心力制御手段により、遠心力を停止或いは弱めた後、再び遠心力を与えることで血漿成分のみを前記第２のチャンバーへ移動させ、この第２のチャンバーでＨＤＬ−コレステロール以外のコレステロール成分を凝集させた後、凝集物を遠心力により分離し、その後遠心力を停止或いは弱め、再び遠心力を与えることでＨＤＬ−コレステロールのみのコレステロール成分を含む血漿を前記第３のチャンバーへ移動させ、この第３のチャンバーにおいて予め決められた容積の血漿を分取した後、遠心力を停止或いは弱め、再び遠心力を与えることで、一定の容積に定められたＨＤＬ−コレステロールのみのコレステロール成分を含む血漿を得るようにすることを特徴とするＨＤＬ−コレステロール分析用装置。
【請求項１１】
請求項３、７または８に記載のＨＤＬ−コレステロール分析用ディスクが装着され、前記ＨＤＬ−コレステロール分析用ディスクの軸心周りに遠心力を発生させる遠心力発生手段と、前記遠心力発生手段から発生する遠心力の強さを制御する制御手段と、少なくとも前記第４のチャンバーに向けてレーザ光を発射する発光部と、前記発光部から発射された前記レーザ光を受光する受光部とを設けたＨＤＬ−コレステロール分析用装置。
【請求項１２】
検体として全血を前記第１のチャンバーに注入した後、遠心力発生手段により遠心力を与えることでこの第１のチャンバー内で血球成分を分離し、その後、遠心力制御手段により、遠心力を停止或いは弱めた後、再び遠心力を与えることで血漿成分のみを前記第２のチャンバーへ移動させ、この第２のチャンバーでＨＤＬ−コレステロール以外のコレステロール成分を凝集させた後、凝集物を遠心力により分離し、その後遠心力を停止或いは弱め、再び遠心力を与えることでＨＤＬ−コレステロールのみのコレステロール成分を含む血漿を前記第３のチャンバーへ移動させ、この第３のチャンバーにおいて予め決められた容積の血漿を分取した後、さらに遠心力を停止或いは弱め、再び遠心力を与えることで予め決められた容積の血漿を前記第４のチャンバーへ移動させ、第４のチャンバーにおけるＨＤＬ−コレステロール量に応じた変色を前記発光部及び受光部を通じて検出し、ＨＤＬ−コレステロールを定量するようにしたことを特徴とする請求項１１に記載のＨＤＬ−コレステロール分析用装置。
【請求項１３】
検体として全血を前記第１のチャンバーに注入した後、遠心力発生手段により遠心力を与えることでこの第１のチャンバー内で血球成分を分離し、その後、遠心力制御手段により、遠心力を停止或いは弱めた後、再び遠心力を与えることで血漿成分のみを前記第２のチャンバー、及び前記第５のチャンバーへ移動させ、この第５のチャンバーにおいて予め決められた容積の血漿を分取した後、さらに遠心力を停止或いは弱め、再び遠心力を与えることで予め決められた容積の血漿を前記第６のチャンバーへ移動させ、第６のチャンバーにおける総コレステロール量に応じた変色を前記発光部及び受光部を通じて検出し、総コレステロールを定量するようにしたことを特徴とする請求項１２に記載のＨＤＬ−コレステロール分析用装置。
【請求項１４】
検体として全血を前記第１のチャンバーに注入した後、遠心力発生手段により遠心力を与えることでこの第１のチャンバー内で血球成分を分離し、その後、遠心力制御手段により、遠心力を停止或いは弱めた後、再び遠心力を与えることで血漿成分のみを前記第２のチャンバー、及び前記第７のチャンバーへ移動させ、この第７のチャンバーにおいて予め決められた容積の血漿を分取した後、さらに遠心力を停止或いは弱め、再び遠心力を与えることで予め決められた容積の血漿を前記第８のチャンバーへ移動させ、第８のチャンバーにおけるトリグリセライド量に応じた変色を前記発光部及び受光部を通じて検出し、トリグリセライドを定量するようにしたことを特徴とする請求項１２に記載のＨＤＬ−コレステロール分析用装置。
【発明の詳細な説明】
【技術分野】
【０００１】
本発明は、ＨＤＬ−コレステロール分析用ディスク、及びＨＤＬ−コレステロール分析用装置に関するものである。
【背景技術】
【０００２】
検体として、血液内のＨＤＬ−コレステロールの測定方法について以下説明する。従来のＨＤＬ−コレステロールの測定方法は、図１１に示すように、先ず全血（血液）１を容器２に注入し、次にこの容器２に遠心力を加える。そうすると全血１は、図１２に示すように、比重の重い血球３と、比重の軽い血漿４とに分離される。このとき比重の軽い血漿４は容器２の上方に分離される。
【０００３】
次に、図１３に示すように、この血漿４のみを別の容器５に移す。そして、この容器５内にＨＤＬ−コレステロール以外のコレステロール成分を凝集させる試薬６を注入する。そして、図１４に示すように、この容器５に遠心力を加えて凝集物を沈殿させる。
【０００４】
次に、この容器５内の試薬６と融解された血漿７へコレステロールエステラーゼ及びコレステロールオキシダーゼ等の酵素や色素前駆体を含有する反応試薬を加え、その反応により生じた色変化を分光光度計等で測定して、血液内のＨＤＬコレステロールを測定するものであった。なお、ここで、全血１に遠心力を加えて血球３と血漿４とを分離する工程や、血漿４と試薬６に遠心力を加えて融解する工程において、遠心力発生手段としてディスクを用いることもあった。
【０００５】
なお、この出願の発明に関連する先行技術文献情報としては、例えば、特許文献１が知られている。
【特許文献１】特開平３−２２５２７６号公報
【発明の開示】
【発明が解決しようとする課題】
【０００６】
しかしながらこのような従来の血液内のＨＤＬ−コレステロールの測定方法は、血漿４と血球３に分離された全血１のうち、上澄みの血漿４のみを別の容器５に移し、この容器５に試薬６を加えて融解した後、ＨＤＬ−コレステロール以外のコレステロール成分を凝集させ遠心力により沈殿させ、再びこの容器５内の血漿７を取り出して酵素や色原体を含む試薬と混合し、呈色反応を起こした後、分光光度計等で測定しなければならず、容器２，５の移し替えや複数の反応試薬との混合等人の手による操作が多く複雑であった。
【０００７】
そこで本発明は、この問題を解決したもので、自動的に検体の測定ができる検体の測定手段を提供することを目的としたものである。
【課題を解決するための手段】
【０００８】
この目的を達成するために本発明のＨＤＬ−コレステロール分析用ディスクは、軸心よりその外周方向に向かって順に、検体の注入口を有する第１のチャンバーと、ＨＤＬ−コレステロール以外のコレステロール成分を凝集させる試薬を保持した第２のチャンバーと、予め決定された容積の検体を分取する第３のチャンバーと、ＨＤＬ−コレステロールと反応して変色する試薬群を保持し、かつ前記反応による変色を検出するための第４のチャンバーとを備え、前記第１と第２のチャンバー間、前記第２と第３のチャンバー間、及び前記第３と第４のチャンバー間はそれぞれ、毛細管力を有する第１から第３の流路で連結されるとともに、前記第１から第３の流路はそれぞれ逆「Ｕ字」状に折り曲げられるとともに、前記逆「Ｕ字」の頂部は上流側のチャンバー内に入る検体の上端より前記軸心側に位置していることを特徴とするＨＤＬ−コレステロール分析用ディスクである。
【０００９】
また、本発明のＨＤＬ−コレステロール分析用装置は、上記のＨＤＬ−コレステロール分析用ディスクが装着され、前記ＨＤＬ−コレステロール分析用ディスクの軸心周りに遠心力を発生させる遠心力発生手段と、前記遠心力発生手段から発生する遠心力の強さを制御する制御手段と、少なくとも前記第４のチャンバーに向けてレーザ光を発射する発光部と、前記発光部から発射された前記レーザ光を受光する受光部とを設けたことを特徴とするものである。これにより、初期の目的を達成することができる。
【発明の効果】
【００１０】
以上のように本発明によれば、第１のチャンバーと第２のチャンバーとは毛細管力を有するとともに、逆「Ｕ字」状の第１の流路で連結されているので、遠心力発生手段で遠心力を加えることにより、第１のチャンバー内の血液検体を比重差により血球と血漿に分離することができる。
【００１１】
その後、制御手段で遠心力の供与を停止或いは低下させることにより、第１のチャンバー内の血漿のみを毛細管力で第１の流路の頂部を介して第２のチャンバーへの流入口まで進行させ、この流出口で表面張力により第２のチャンバー内への流入を停止させる。
【００１２】
そして、次に加えられる遠心力でこの表面張力に打ち勝ち、検体を第２のチャンバーへ自動的に移送し、この第２のチャンバー内に保持されているＨＤＬ−コレステロール以外のコレステロール成分を凝集させる試薬と血漿を混合する。遠心力により生じた凝集を沈殿させ、遠心力の供与を停止或いは低下させることにより、第２のチャンバー内のＨＤＬ−コレステロールのみのコレステロール成分を含む血漿を毛細管力で第２の流路の頂部を介して第３のチャンバーへの流入口まで進行させ、この流出口で表面張力により第３のチャンバー内への流入を停止させる。
【００１３】
そして、次に加えられる遠心力でこの表面張力に打ち勝ち、検体を第３のチャンバーへ自動的に移送し、この第３のチャンバーに設けられた検体排出口にまで進行させる。そして排出口の取り付け位置よりも軸心側に達した余剰な検体は、排出口より第３のチャンバーから排出され、予め定められた量の検体を第３のチャンバーに保持することが出来る。
【００１４】
その後、遠心力の供与を停止或いは低下させることにより、第３のチャンバー内の予め定められた量のＨＤＬ−コレステロールのみのコレステロール成分を含む血漿を毛細管力で第３の流路の頂部を介して第４のチャンバーへの流入口まで進行させ、この流出口で表面張力により第４のチャンバー内への流入を停止させる。
【００１５】
そして、次に加えられる遠心力でこの表面張力に打ち勝ち、検体を第４のチャンバーへ自動的に移送し、この第４のチャンバーに保持されているコレステロールと反応して、そのコレステロール量に応じた量の色素を生成する試薬と前記血漿を混合する。そして生じた色素量を検知することで自動的にＨＤＬ−コレステロールを定量することができる。即ち、遠心力と毛細管力を用いて、遠心力を制御することにより、全ての工程を自動的に行うことができる。
【００１６】
従って、検体として血液を用いれば血液内のＨＤＬ−コレステロールを容易に測定することができる。
【００１７】
また、検体は第１のチャンバーのみを満たす量があれば良いので、従来のように容器を使うものに比べて少量で良く、人体への負担が少なくてすむ。
【００１８】
更に、全工程を遠心力と毛細管力を使って自動的に行うことができるので、検体のスピーディな測定ができる。
【発明を実施するための最良の形態】
【００１９】
以下、図面を用いて本発明の実施の形態を実現するための要素技術を先に説明する。図１は、検体（液体）の測定装置の側面図である。図１（ａ）において、１１は第１のチャンバー（容器）であり、１２はこの第１のチャンバー１１の上端に設けられた検体の注入口である。また、１３は第１のチャンバー１１の上端に設けられた空気抜き口である。
【００２０】
１４は、第２のチャンバーであり、この第２のチャンバー１４は矢印１５で示した遠心力の方向に対して下流側に位置している。１６は、第１のチャンバー１１と第２のチャンバー１４とを連結する流路であり、第１のチャンバー１１の側面に設けられた流入口１７から第２のチャンバー１４の上端に接続されている。この流路１６は、逆「Ｕ字」状に折れ曲がっている。そして、この逆「Ｕ字」の頂部１６ａは第１のチャンバー１１に入る検体の上端より遠心力源（遠心力の方向と逆方向に存在する）側に位置している。１８は、第２のチャンバー１４の上端に設けられた空気抜き口である。
【００２１】
ここで、図１（ｂ）に示すように、流路１６はその厚み１９を１００μｍにしている。これは、この流路１６に毛細管力（毛細管現象により液体が流路を進行する力）を発生させるための寸法である。また、第１のチャンバー１１と第２のチャンバー１４は共にその厚み寸法２０を２００〜６００μｍとしている。この寸法２０は、第１のチャンバー１１と第２のチャンバー１４に毛細管力を発生させない（非発生）ための寸法である。また、流路１６の壁面は親水性処理されている。これに対して、第１のチャンバー１１と第２のチャンバー１４の壁面は流路１６よりも弱い親水性処理がされている。これは、毛細管力を向上させる上で好ましいことである。
【００２２】
以上のように構成された流路１６を用いた検体の測定装置について、以下にその動作を説明する。先ず、検体２５を図２に示すように、第１のチャンバー１１に充填する。このとき、遠心力が矢印１５の方向に加わっているとすると、検液２５の液面は、第１のチャンバー１１内の液面２５ａと流路１６内の液面２５ｂとは同じ液位となっている。
【００２３】
ここで、遠心力を停止（又は、遠心力を毛細管力より小さくする。以下同様）と、図３（ａ）に示すように第１のチャンバー１１の液体２５は毛細管力で流路１６を充填する。このとき、図３（ｂ）に示すように、流路１６と第２のチャンバー１４との接合面２６では、検体２５の表面張力により、検体２５は第２のチャンバー１４へ移送されない。
【００２４】
次に、図４に示すように、再び遠心力を矢印１５に示す方向に加えると、流路１６内の検体２５は、接合面２６にかかる表面張力に打ち勝って、第２のチャンバー１４に移送される。この遠心力により流路１６内の検体２５の第２のチャンバー１４への移送は継続され、そしてこの移送は、検体２５が第１のチャンバー１１の流入口１７の位置で停止する。即ち、検体２５が第１のチャンバー１１の流入口１７まで流出すると、この流入口１７の取り付け位置の作用により、それ以上の検体２５は流路１６へ流入できなくなり、検体２５の移送は停止される。
【００２５】
このようにして、遠心力と毛細管力で第１のチャンバー１１内の検液２５は、第２のチャンバー１４へ自動的に移送されることになる。但し、第１のチャンバー１１の底面１１ａから流入口１７までの検体２５は第１のチャンバー１１に残る。
【００２６】
以上のように、第１のチャンバー１１と第２のチャンバー１４とは毛細管力を有するとともに、逆「Ｕ字」を有する流路１６で連結されているので、制御手段で遠心力を加えることにより、チャンバー１１，１４内の検体２５を比重により分離することができる。また、遠心力を停止させることにより、第１のチャンバー１１内の検体２５を毛細管力で流路１６の頂部１６ａを介して第２のチャンバー１４への流出口まで進行させ、この流出口で表面張力により流出を停止させることができる。そして、次に加えられる遠心力で、この表面張力に打ち勝って第２のチャンバー１４へ移送することができる。即ち、遠心力の制御により、全ての工程を自動的に行うことができる。
【００２７】
また、検体２５は第１のチャンバー１１のみを満たす量があれば良いので、従来のように容器２，５を使うものに比べて少量で良く、人体への負担が少なくてすむ。
更に、全工程を遠心力と毛細管力を使って自動的に行うことができるので、検体２５のスピーディな測定ができる。
【００２８】
なお、上記の説明における遠心力は、検体の測定装置をディスク内に形成し、このディスクを回転させることにより得ている。なお、遠心力を発生させる発生手段や、この遠心力の停止を制御する制御手段の詳細については実施の形態３で説明する。
【００２９】
（実施の形態１）
図５は、実施の形態１における検体の測定装置の側面図である。本実施の形態では、検体として血液を用いている。図５において、３１は遠心力源となる軸心に最も近い側に設けられた全血分離チャンバー（前記第１のチャンバー）であり、以下、下流（矢印１５）に向かって順次、分離チャンバー３２（前記第２のチャンバー）、定量チャンバー３３（前記第３のチャンバー）、反応・検出チャンバー３４（前記第４のチャンバー）が設けられている。
【００３０】
３５は、全血分離チャンバー３１の側面に連結された流路であり、この流路３５は、逆「Ｕ字」状に折れ曲がっている。そして、この逆「Ｕ字」の頂部３５ａは全血分離チャンバー３１に入る血液の上端より遠心力源側に位置している。
【００３１】
また、この流路３５の頂部３５ａの下流側は、試薬チャンバー３６の上端に連結されており、この試薬チャンバー３６の下端は流路３７で攪拌部３８の入口に連結されている。また、この攪拌部３８の出口は流路３９で分離チャンバー３２の上端に連結されている。
【００３２】
分離チャンバー３２の側面からは、流路４０で定量チャンバー３３の上端に連結されている。この流路４０は、逆「Ｕ字」状に折れ曲がっている。そして、この逆「Ｕ字」の頂部４０ａは分離チャンバー３２内に入る血漿の上端より遠心力源側に位置している。
【００３３】
また、定量チャンバー３３の底面３３ｂからは、流路４１で反応・検出チャンバー３４の上端に連結されている。この流路４１は、逆「Ｕ字」状に折れ曲がっている。そして、この逆「Ｕ字」の頂部４１ａは定量チャンバー３３内に入る血漿の上端より遠心力源側に位置している。ここで、一定量の血漿を安定して計量するために、流路４１は定量チャンバー３３の底面３３ｂから導出することが重要である。また、この定量チャンバー３３の上面には排出口３３ｃが設けられている。即ち、底面３３ｂから排出口３３ｃまでの容積で一定量の血漿を計測することができる。
【００３４】
ここで、試薬チャンバー３６には、ＨＤＬ−コレステロール（以下、ＨＤＬ−Ｃとする）以外のコレステロール成分を除く試薬４２が保持されており、反応・検出チャンバー３４には反応試薬４３が保持されている。攪拌部３８は、流路３７を「Ｕ字」状に折り曲げて、この「Ｕ字」状のものを複数個連結して形成されている。このようにして形成された攪拌部３８に血漿が通過すると、「Ｕ字」により流れの乱れを生じ、これにより血漿が攪拌される訳である。
【００３５】
なお、図５では、試薬チャンバー３６と攪拌部３８を設けているが、これらを形成せず、全血分離チャンバー３１と分離チャンバー３２とを直接流路で連結し、ＨＤＬ−Ｃ以外のコレステロール成分を除く試薬４２を、分離チャンバー３２に保持させることも可能である。このようにすれば、より分析用ディスクの作成が簡単になる。
【００３６】
各チャンバー３１，３２，３３，３４の上端、及び流路３５の流入口３５ｂ近傍にはバルブ３５ｄが設けられている。また、各チャンバー３１，３２，３３，３４、３６の厚みは、４００μｍであり、毛細管力の非発生の厚みにしている。これに対して、流路３５，３７，３９，４０、４１及び攪拌部３８の厚みは１００μｍとしており、毛細管力が発生する厚みにしている。
【００３７】
以上のように構成された検体の測定装置において、以下にその動作を説明する。先ず、全血（血液）４５を全血分離チャンバー３１の注入口３１ａから注入する。このとき、遠心力は停止（又は、遠心力を毛細管力より小さくする。以下同様とする）しているとする。
【００３８】
全血４５は、全血分離チャンバー４５に流入する。この全血４５が流路３５の流入口３５ｂまで達すると、毛細管力により流路３５に流入する。そして、流入した検血４５は、流入口３５ｂの近傍に設けられた流路３５よりも厚み寸法が厚いバルブ３５ｄで停止する。即ち、全血４５は、流路３５のバルブ３５ｄまで来ると、バルブ３５ｄ入り口面の全血４５の表面張力により、全血４５のバルブ３５ｄへの流入は禁止される。この状態で、全血４５は全血分離チャンバー４５内に充填される。
【００３９】
次に、遠心力を加えると、全血４５は、矢印１５方向に押圧される。このことにより、流路３５内においては、全血４５がバルブ３５ｄの入り口面の表面張力に打ち勝ってバルブ３５ｄに流入し、さらに流路３５内を進む。そして、全血分離チャンバー３１の液面４５ａと同じ液面４５ｂとなって停止する。また、全血分離チャンバー３１及び流路３５内に流入した全血４５は遠心力により血漿と血球に分離され、血球は流入口３５ｂよりも矢印１５方向にある全血分離チャンバー３１の領域に移動する。
【００４０】
次に、遠心力を停止すると、この全血分離チャンバー３１及び流路３５で分離された血漿のみが、側面に設けられた流路３５の流入口３５ｂから流入し、先に流路３５の液面４５ｂまで流入していた血漿と共に、毛細管力で頂部３５ａを越えて流路３６内の前記試薬４２を溶解しながら攪拌部３８でこの試薬４２と攪拌される。その後流路３９の流出口３９ｃに達し、流出口３９ｃで表面張力により試薬チャンバー３２への流出が禁止される。
【００４１】
この状態で、遠心力が加えられると、全血分離チャンバー３１よりも遠心力方向側に在る流路、即ち流路３７、攪拌部３８、流路３９に充填している血漿が押し下げられ、その結果全血分離チャンバー３１内の検体４５は、流路３５の流入口３５ｂの位置まで吸い出されることになる。そして、この負圧力により全血分離チャンバー３１内での分離された血漿のみが流路３５、３７，３９を介して、この攪拌された血漿が分離チャンバー３２に流入する。そして、この分離チャンバー３２で遠心力により、血漿のコレステロール成分のうちＨＤＬ―Ｃ以外のコレステロール成分が凝集沈殿として分離される。
【００４２】
この分離されたＨＤＬ−Ｃは、流路４０にも流入し頂部４０ａの手前で分離チャンバー３２内の血漿の液位と同じ液位で停止する。また、このとき、全血分離チャンバー３１内の血漿は、流入口３５ｂの位置で流入が停止している。これは流入口３５ｂと全血分離チャンバー３１の底面３１ｂからの位置による効果である。そして全血４５の内、分離された血球はこの底面３１ｂから流入口３５ｂの間に溜まる。そして、ここで遠心力を停止させても、もはや流入口３５ｂから底面３１ｂ側にある血球は毛細管現象で流路３５に流れ込むことはない。
【００４３】
このようにして、遠心力と毛細管力で人手を介することなく、全血分離チャンバー３１内の血漿は分離チャンバー３２へ移送することができる。以下、下流に設けられたチャンバーに検体を移送するメカニズムは同様であるので、この移送メカニズムの説明は簡略化している。
【００４４】
即ち、次に遠心力を停止すると、毛細管力により検体のコレステロール成分中のＨＤＬ−Ｃのみを含む血漿が、流路４０の頂部４０ａを越える。そして、流路４０の流出口４０ｃで表面張力により停止している。そして、次に遠心力がくわわると、分離チャンバー３２内の検体のコレステロール成分中のＨＤＬ−Ｃのみを含む血漿が、定量チャンバー３３に流入する。そして、このＨＤＬ−Ｃは流路４１に流入するが、定量チャンバー３３の液位と同じ位置で（頂部４１ａを越えることなく）停止する。なお、余分に流入したＨＤＬ−Ｃは排出口３３ｃから排出される。ここで、分離チャンバー３２には分離されたＨＤＬ−Ｃ以外のコレステロール成分が凝集沈殿として底面３２ｂと流入口４０ｂとの間に残る。
【００４５】
次に、遠心力を停止すると、毛細管力でＨＤＬ−Ｃは頂部４１ａを越えて流路４１の流出口４１ｃで表面張力により停止している。
【００４６】
そして、次に遠心力が加わると、定量チャンバー３３内のＨＤＬ−Ｃの全てが反応・検出チャンバー３４に移送される。ここで、流出口４１ｂは定量チャンバー３３の底面３３ｂに設けられているので、定量チャンバー３３内に血漿が残ることはない。即ち、定量チャンバー３３の容積に応じた計量がなされる。
【００４７】
反応・検出チャンバー３４に移送されたＨＤＬ−Ｃは、反応試薬４３と酵素反応する。そして、この反応・検出チャンバー３４にレーザ光を照射して、その反応により生じた色素の吸光度からＨＤＬ−Ｃを計測する。このようにして、遠心力と毛細管力を利用して人手を介することなく、自動的に検体中のＨＤＬ−Ｃの濃度を測定することができる。
【００４８】
なお、本実施の形態における遠心力は、検体の測定装置をディスク内に形成し、このディスクを回転させることにより得ている。
【００４９】
ここで、ＨＤＬ−Ｃ以外のコレステロール成分を除く試薬４２は流路３６内に限定して配置されるものではなく、攪拌部３８、分離チャンバー３２内に配置されてもよい。
【００５０】
また、上記分離チャンバー３２と定量チャンバー３３のチャンバーの機能を一つのチャンバーにまとめてもよく、例えば分離チャンバー３２に定量チャンバー３３の排出口３３ｃと同様な排出口を設け、定量チャンバー３３及び流路４１を省略してもよい。
【００５１】
さらに、反応・検出チャンバー３４は一つのチャンバーに限定されるものではなく、例えば反応試薬４３を構成するそれぞれの試薬の安定性等を考慮して、反応・検出チャンバー３４の上流側にチャンバーをさらに追加し、反応試薬４３を構成するある任意の試薬をそのチャンバーに反応試薬４３から分離して配置してもよい。また、同様ではあるが反応試薬４３は反応・検出チャンバー３４に限定して配置されるものではなく、上記定量チャンバー３３に反応試薬４３を構成するある任意の試薬を反応試薬４３から分離して配置してもよい。
【００５２】
すなわち、全血分離チャンバー３１及び前記試薬４２、分離チャンバー３２の３つの機能要素が構造上最低限必要であり、定量チャンバー３３、反応・検出チャンバー３４、及び反応試薬４３に代表される機能要素を実現するための構造はディスク上のスペースが許す範囲内、及び上記手法が適用できる範囲内で任意に選択することができ、また検出手段もレーザ光に限定されるものではなく、電気化学的に検出されてもよい。
【００５３】
なお、遠心力を発生させる発生手段や、この遠心力の停止を制御する制御手段の詳細については実施の形態３で説明する。
【００５４】
（実施の形態２）
実施の形態２では、全血４５からＨＤＬ−Ｃを検出する工程を説明する。なお、実施の形態１と同じものについては同一番号を付して説明を簡略化している。
【００５５】
図６において、５１は遠心力を停止させて、全血分離チャンバー３１の注入口３１ａから全血４５を注入する検体注入工程である。
【００５６】
５２は、全血分離工程であり、この全血分離工程５２では、全血分離チャンバー３１に遠心力を加えて（ディスクを回転させて遠心力を得ているので、以降単に「回転」と表現している）全血分離チャンバー３１内の全血４５を血漿と血球に分離する。
【００５７】
５３は、血漿分離・移送工程であり、この血漿分離・移送工程５３では、遠心力を停止させて、全血分離チャンバー３１で分離された血漿と血球の内、血漿のみを毛細管力で移送する。そして、試薬チャンバー３６内に装着されたＨＤＬ−Ｃ以外のコレステロール成分を除く試薬４２が血漿で溶解される。そして溶解された血漿は攪拌部３８を通過する過程において攪拌される。即ち、沈殿試薬溶解・攪拌工程５３ａと凝集反応工程５３ｂも含まれている。
【００５８】
なお上述したように、試薬チャンバー３６、攪拌部３８を形成しない場合は、これらの沈殿試薬溶解・攪拌工程５３ａと、凝集反応工程５３ｂは、分離チャンバー３２にて行われる。
【００５９】
５４は、検体定量分取工程であり、この検体定量分取工程５４では、ディスクを回転させて遠心力を加える。そして、先ず、分離チャンバー３２で血漿の内、ＨＤＬ−Ｃ以外のコレステロール成分を沈殿させる。この検体中のコレステロール成分のうちＨＤＬ−Ｃのみが含まれる血漿の容積を定量チャンバー３３で一定量計測する。即ち、この検体定量分取工程４５には、ＨＤＬ−Ｃ遠心分離工程４５ａと検体定量分取工程４５ｂが含まれている。
【００６０】
５５は検体移送工程であり、この検体移送工程５５では、ディスクの回転を停止させる。そして、流路４１で一定量計測されたＨＤＬ−Ｃを毛細管力で頂部４１ａを乗り越えて流出口４１ｃまで移送する。
５６は、ＨＤＬ−Ｃ検出工程であり、遠心力を加えることにより、ディスクを回転させて定量チャンバー３３で一定量計測されたＨＤＬ−Ｃは流路４１から反応・検出チャンバー３４へ取り込まれる。そして、この反応・検出チャンバー３４内に装着された反応試薬４３を溶解する。即ち、反応試薬溶解工程５６ａで反応試薬４３を溶解するとともに酵素反応工程５６ｂで酵素と反応する。そして、ＨＤＬ−Ｃ検出工程５６ｃでＨＤＬ−Ｃが検出される。
即ち、このＨＤＬ−Ｃと酵素の反応により生じた色素にレーザ光を照射して、その吸光度からＨＤＬ−Ｃを計測する。このようにして、遠心力と毛細管力を利用して人手を介することなく、全血４５中の一定量内におけるＨＤＬ−Ｃの量を自動的に計測することができる。
【００６１】
また図１５に示すように、全血分離チャンバー３１に連結された流路３５から分岐するか、或いは、全血分離チャンバー３１に直接流路６１と６２を連結する。そして、この流路６１，６２に夫々定量チャンバー６３、６４（前記第５、第７チャンバー）を連結する。これらの定量チャンバー６３、６４には夫々流路６５、６６を連結し、これらの流路６５、６６には夫々反応・検出チャンバー６７、６８（前記第６、第８チャンバー）を連結する。
【００６２】
即ち、流路６１と、定量チャンバー６３、流路６５と、反応・検出チャンバー６７をこの順に直列接続して第１の直列接続体を形成し、流路６２と、定量チャンバー６４、流路６６と、反応・検出チャンバー６８をこの順に直列接続して第２の直列接続体を形成する。そして、これら第１の直列接続体と第２の直列接続体を並列に接続して、同様の検体の測定装置を２個形成することもできる。
【００６３】
そして、反応・検出チャンバー６７に総コレステロールを検出するための試薬、及び反応・検出チャンバー６８にトリグリセライドを検出するための試薬を保持させれば、全血分離チャンバー３１で分離された血漿を用いて、反応・検出チャンバー６７で総コレステロール（ＴＣ）を検出し、それと同時に反応・検出チャンバー６８でトリグリセライド（ＴＧ）を検出することができる。即ち、全血４５から同時にＨＤＬ−Ｃと、総コレステロールと、トリグリセライドとを人手を介することなく自動的に、しかも同時期に検出することができる。
【００６４】
（実施の形態３）
図７は、実施の形態１〜２に記載のＨＤＬ−コレステロール分析用装置の側面図である。なお、図７において、７０は、ディスク７１の軸心９３に連結して設けられた駆動手段としてのディスクモータであり、このディスクモータ７０によってディスク７１が回転させられる。また、このディスクモータ７０は制御手段としての制御回路７３により、回転数の制御や停止が行われる。
【００６５】
７４は、レーザ光出力駆動回路であり、このレーザ光出力駆動回路７４の出力で発光部７５を形成するレーザダイオードが発光し、このとき出力されるレーザ光がディスク７１の測定チャンバー１１３（測定チャンバー１１４も含む）に向けて発射される。このレーザ光は２つ出力されるが図７では１つのみ表している。
【００６６】
このレーザ光のうちディスク７１の回転制御に使われるレーザ光はディスク７１で反射してディスク７１上の情報をフォトディテクタ７６で検出する。そして、その出力は制御回路７３に入力されて、ディスク７１の回転が制御される。即ち、回転速度の制御や停止等が制御される。
【００６７】
また、レーザ光のうちディスク７１の測定チャンバー１１３を通過するレーザ光は、受光部７７を形成するフォトディテクタで検出されて、その出力は映像信号処理回路７８で処理される。このようにして、測定チャンバー１１３内の検液（成分検査などをするための液体）８５の吸光度の測定が行われる。
【００６８】
なお、このディスク７１は円盤形状をしており、その直径は１２ｃｍであり、厚さ１４９は２ｍｍである。そして、遠心力を発生させるディスク７１の回転数は毎分５００回転から６０００回転である。またこのディスク７１には、測定チャンバー１１３の厚み情報や校正情報も格納されており、この情報に基づいて映像信号処理回路７８で検液８５の吸光度の測定が行われる。
【００６９】
図８は、測定チャンバー１１３近傍の要部断面図である。図８において、８１はベース基板であり、このベース基板８１はポリカーボネート（ＰＣ）、ガラス、アクリル、プラスチック等で形成されており、透明性を有する材料で形成されている。
【００７０】
このベース基板８１の上面には、接着剤（２液混合接着剤、熱硬化性接着剤、のり等）８２を介して上カバー８３が接着されている。なお、この上カバー８３もポリカーボネート（ＰＣ）、ガラス、アクリル、プラスチック等で形成されており、透明性を有する材料で形成されている。このようにして、上カバー８３は接着剤８２でベース基板８１に確りと固着されている。
【００７１】
８４は、上カバー８３に設けられた凹部であり、この凹部８４はベース基板８１に向かって開口している。即ち、この凹部８４とベース基板８１とで測定チャンバー１１３を形成している。そしてこのように形成された測定チャンバー１１３には検液８５が流入されて充填されるものである。
【００７２】
７５は、測定チャンバー１１３の下方に設けられた発光部であり、レーザダイオードで形成されている。７６は、測定チャンバー１１３の上方に設けられた受光部であり、フォトディテクタで形成されている。そして、発光部７５から発射されるレーザ光が測定チャンバー１１３内の検液８５を通過して、受光部７７で受光されるものである。このレーザ光が検液８５を通過することによるレーザ光の減衰（吸光度）等から検液８５の性質等を測定するものである。
【００７３】
図９は、検体の測定装置を構成するディスク７１の部分破砕平面図である。このディスク７１は複数個（本実施の形態では６個）の夫々独立した検液分析部９１から構成されている。図９において、９２は軸心９３の近傍に設けられた検液８５の注入口である。この検液８５の注入口９２は検液分析部９１に連結している。また、この検液分析部９１は、ディスク７１が９４方向に回転することにより、検液分析部９１に遠心力を外周方向に向けて発生させる。本実施の形態では、夫々６個の独立した検液分析部９１を有しているので、夫々の検液分析部９１では夫々独立して異種の検液８５の分析を一度に行うことができる。
【００７４】
図１０は、この検液分析部９１の要部拡大図である。図１０において、検液８５の注入口９２は注入チャンバー９５に連結している。９６は、この注入チャンバー９５の縦側面から導出された流路であり、この流路９６の流入口９６ｃ近傍にはバルブ９６ｂが設けられている。この流路９６は逆「Ｕ字」状に折れ曲がっている。そして逆「Ｕ字」の頂部９６ａは注入チャンバー９５の上端より軸心９３側に位置している。また、流路９６は途中で分岐されており、その一方は試薬チャンバー９７の上端に連結されている。また、分岐された他方は流路９８に連結しており、この流路９８はディスク７１の外周近傍に設けられた外周室９９に連結している。
【００７５】
試薬チャンバー９７の下端からは流路１００を介して定量チャンバー１０１の上端に連結している。この流路１００にはその途中に「Ｕ字」形状が互いに逆方向に連結した攪拌部１０２を形成している。この攪拌部１０２は軸心９３側（矢印１０３と逆方向）に向かって開口した複数個の「Ｕ字」で形成されている。
【００７６】
なお、試薬チャンバー９７および攪拌部１０２を特別に形成しないこともできる。この場合は、試薬チャンバー９７に保持されるべき試薬を定量チャンバー１０１に保持させることができる。
【００７７】
定量チャンバー１０１の下端からは流路１０４で第１の反応チャンバー１０５の上端に連結している。この連結する流路１０４は逆「Ｕ字」状に折れ曲がっている。そして逆「Ｕ字」の頂部１０４ａは定量チャンバー１０１の上端より軸心９３側に位置している。１０６は、定量チャンバー１０１の上端と注入チャンバー９５の上端を連結するとともにその途中から分岐して外周室９９に連結した流路である。この流路１０６の上端１０６ａには空気抜き口が設けられている。１０７は定量チャンバー１０１の上端と外周室９９を連結する流路である。
【００７８】
第１の反応チャンバー１０５の下端からは流路１０８で第２の反応チャンバー１０９の上端に連結されている。この連結された流路１０８は逆「Ｕ字」状に折れ曲がっている。そして逆「Ｕ字」の頂部１０８ａは第１の反応チャンバー１０５の上端より軸心９３側に位置している。１０５ａは第１の反応チャンバー１０５の上端に設けられた空気抜き口である。
【００７９】
第２の反応チャンバー１０９の下端からは２つの流路１１１と１１２で夫々測定チャンバー１１３と１１４の下端に連結している。この連結する流路１１１と１１２は逆「Ｕ字」状に折れ曲がっている。そして逆「Ｕ字」の頂部１１１ａ，１１２ａは第２の反応チャンバー１０９の上端より軸心９３側に位置している。１０９ａは第２の反応チャンバー１０９の上端に設けられた空気抜き口である。そして、この測定チャンバー１１３と１１４の上端と外周室９９とは流路１１５で連結されている。
【００８０】
なお、流路９８を分岐して別の判定系を構成することもできる。即ち、本実施の形態の試薬チャンバー９７又は定量チャンバー１０１から測定チャンバー１１３、１１４までの構成を並列に複数個設けることもできる。そうすれば、注入チャンバー９５に注入された検液８５を別の独立した判定に用いることができる。
【００８１】
ここで、注入チャンバー９５、試薬チャンバー９７、定量チャンバー１０１、第１の反応チャンバー１０５、第２の反応チャンバー１０９、測定チャンバー１１３と１１４の厚みは２００〜６００μｍであり、流路９６，１００，１０４，１０８，１１１，１１２の厚みは１００μｍである。従って、これらの流路９６，１００，１０４，１０８，１１１，１１２では毛細管力が発生するようになっている。
【００８２】
以上のように構成された測定装置において、以下にその動作を説明する。この検体の測定装置は、遠心力と毛細管力を交互に発生させ、その度に、各チャンバー内の検液８５を順次遠心力の方向（矢印１０３の方向）に移送させるものであり、この移送の度に、検体分析の各工程が行われるものである。
【００８３】
先ず、ディスク７１の回転を停止する。そして、注入口９２から検液８５を注入する。この検液８５はこの注入チャンバー９５に設けられた流路９６の流入口９６ｃまでに一旦蓄えられる。検液８５がこの流入口９６ｃに達すると毛細管力で流路９６に設けられたバルブ９６ｂまで進む。そして、このバルブ９６ｂの表面張力によりそれ以上の浸入が停止する。この停止した状態で更に検液８５は注入される。
【００８４】
そして、次にディスク７１を４０００〜６０００ｒｐｍで回転させることで遠心力が加わる。すると、注入チャンバー９５内の検液８５は遠心力の方向（矢印１０３の方向）に押し下げられる。その結果、流路９６内の検液８５はこの遠心力でバルブ９６ｂの位置を通過して、注入チャンバー９５の液位と同じ位置になって停止する。このとき検液８５は頂部９６ａまでは達していない。またこのとき、注入チャンバー９５内の検液８５が全血であった場合、血球成分が遠心分離され流入口９６ｃよりも遠心力方向へ移動し、その界面から遠心力源方向は血漿成分で満たされる。
【００８５】
次に、ディスク７１を停止させる（又は、毛細管力より弱い遠心力になるまで減速させる。以下同様）。このことにより、注入チャンバー９５内の血漿成分のみからなる検液８５は毛細管力で流路９６の頂部９６ａ、及び試薬チャンバー９７、攪拌部１０２を通過し、定量チャンバー１０１への流入口まで進んで、この流入口で表面張力により停止する。このとき検液８５は試薬チャンバー９７に保持されているリンタングステン酸ナトリウムと塩化マグネシウムからなる試薬を溶解させながら進み、攪拌部１０２を通過することでその試薬と検液８５が混合される。このリンタングステン酸ナトリウムと塩化マグネシウムからなる試薬は、血漿中のコレステロール成分のうちＨＤＬ−Ｃ以外のコレステロール成分を凝集させ沈殿を起こすように調製されており、この技術は公知である。
【００８６】
またこの試薬は公知の技術の通り他のポリアニオン化合物（リンモリブデン酸、タングステン酸、モリブデン酸の無機塩類、またはデキストラン硫酸、ヘパリン、硫酸アミロース、アミロペクチン硫酸等の硫酸多糖類）と水溶性の金属イオン化合物（カルシウム、マンガン、コバルト、ニッケル、ストロンチウム、亜鉛、バリウム、銅から選ばれた２価の金属イオンを有する化合物、またはアルミニウム、鉄、クロムから選ばれた２価以外の金属イオンを有する化合物）またはアンモニウムイオン化合物の組み合わせであってもよい。
【００８７】
次に、ディスク７１の回転により遠心力を加えると、検液８５は表面張力に打ち勝って定量チャンバー１０１に導かれる。ここで、遠心力により攪拌部１０２と流路１００に充填されていた検液８５が押し下げられ、注入チャンバー９５内の検液８５は注入口９６ｃまで吸い出され、定量チャンバー１０１に流入する。また、その一部の吸い出された検液８５は、流路９８を通って外周室９９へ排出される。
【００８８】
この定量チャンバー１０１に流入した検液８５の内、溢れた検液８５は流路１０７を介して外周室９９へ排出される。従って、定量チャンバー１０１内の検液８５はこの流路１０７の取り出し口の液位で一定になる。また、流路１０４内に流入した検液８５は、流路１０４の頂部１０４ａ以下であって、流路１０７の取り出し口の液位になっている。このことにより、この定量チャンバー１０１には一定量の検液８５が計量されることになる。またこの定量チャンバー１０１の遠心力方向側に、試薬チャンバー９７及び攪拌部１０２で生じたＨＤＬ−Ｃ以外のコレステロール成分の凝集が遠心力により検液８５から分離され沈殿する。
【００８９】
次に、ディスク７１の回転を停止させる。このことにより、定量チャンバー１０１内のコレステロール成分がＨＤＬ−Ｃのみになった検液８５は毛細管力で流路１０４の頂部１０４ａを通過し、第１の反応チャンバー１０５への流入口で表面張力により停止する。
次に、ディスク７１の回転により遠心力を加えると、コレステロール成分がＨＤＬ−Ｃのみになった検液８５は表面張力に打ち勝って第１の反応チャンバー１０５に流入する。検液８５は、第１の反応チャンバー１０５で第１の試薬を溶解し反応する。第１の試薬はコレステロールエステラーゼ、β−ジホスホピリジンヌクレオチド２ナトリウム（ＮＡＤ＋）、ジアホラーゼ、コール酸ナトリウム、ｎ−オクチル−β−Ｄ−チオグルコシド及び緩衝液成分からなる。また、遠心力の加わっている間は、検液８５は流路１０８の頂部１０８ａ以下で停止している。
【００９０】
ここで、ディスク７１を停止することにより、毛細管力で第１の反応チャンバー１０５内の検液８５は流路１０８の頂部１０８ａを通過し、第２の反応チャンバー１０９への流入口で表面張力により停止する。
【００９１】
次に、ディスク７１の回転により遠心力を加えると、検液８５は表面張力に打ち勝って第２の反応チャンバー１０９に流入する。そして遠心力により、検液８５は第２の反応チャンバー１０９で第２の試薬を溶解する。第２の試薬はコレステロールデヒドロゲナーゼからなる。また、遠心力の加わっている間は、検液８５は流路１１１と１１２の高位点１１１ａと１１２ａ以下で停止している。
【００９２】
そして、次にディスク７１を停止することにより、毛細管力で第２の反応チャンバー１０９内の検液８５は流路１１１と１１２の頂部１１１ａ、と１１２ａを通過し、測定チャンバー１１３と１１４への流入口で表面張力により停止する。
【００９３】
次に、ディスク７１の回転により遠心力を加えると、検液８５は表面張力に打ち勝って測定チャンバー１１３と１１４に流入する。従って、第２の反応チャンバー１０９内の検液８５は２分の１ずつ分けられて測定チャンバー１１３と１１４に流入する。そして検液８５は測定チャンバー１１４内にのみ保持されている第３の試薬を溶解し、測定チャンバー１１４内で主反応が開始され、ＨＤＬ−Ｃの濃度に応じた量のレーザ光を吸収する色素が生成される。第３の試薬は前記色素の前駆体ＷＳＴ−９（（株）同仁化学研究所製）からなる。
【００９４】
そしてこの測定チャンバー１１３と１１４の吸光度の比較によりで検液８５の性質が測定される。即ち、この測定チャンバー１１３と１１４の垂直方向の一方から図７で説明した発光部７５のレーザダイオードでレーザ光を発射し、他方に設けられた受光部７７のフォトディテクタでレーザ光を受けて、この受光の強弱（透過率）により、検液８５の吸光度を測定する訳である。
【００９５】
なお、この測定チャンバー１１３と１１４において、以下の方法により検液８５を更に攪拌して濃度を均一にさせることができる。このことにより、誤差の少ない吸光度の測定ができる。
【００９６】
即ち、ディスク７１の回転と停止を交互に繰り返すことにより、遠心力と毛細管力が交互に発生する。そうするとこの作用により、検液８５が測定チャンバー１１３、１１４と、流路１１１、１１２の間を往復することになる。このことにより、検液８５の更なる攪拌を促進することができる。この場合、流路１１１，１１２の容積を大きくしておくことが望ましく、測定チャンバー１１３と１１４の容積の２５％〜１００％にしておくと良い。
【００９７】
また、この遠心力と毛細管力を交互に発生させて攪拌作用を得るには、２つの流路１１１と１１２を夫々測定チャンバー１１３と１１４の下端に連結しておくことが重要である。これは、常に流路１１１（１１２）が測定チャンバー１１３（１１４）と検液８５で連結するためである。
【産業上の利用可能性】
【００９８】
本発明にかかるＨＤＬ−コレステロール分析用ディスク、及びＨＤＬ−コレステロール分析用装置は、自動的に検体の性質を測定することができるので、ＨＤＬ−コレステロールのほか、総コレステロール、トリグリセライド等の測定等に有用である。
【図面の簡単な説明】
【００９９】
【図１】（ａ）は、本発明の前提となる要素技術を説明するための検体の測定装置の平面図  （ｂ）は同、要部断面図
【図２】同、第１の状態を示す平面図
【図３】（ａ）は同、第２の状態を示す平面図 （ｂ）は同、要部断面図
【図４】同、第３の状態を示す平面図
【図５】本発明の実施の形態１におけるＨＤＬ−コレステロール分析用ディスクの平面図
【図６】本発明の実施の形態２における分析手順を示す工程図
【図７】本発明の実施の形態３におけるＨＤＬ−コレステロール分析用装置の平面図
【図８】同装置に用いるＨＤＬ−コレステロール分析用ディスクの要部断面図
【図９】同、ディスクの部分破砕平面図
【図１０】同、要部拡大図
【図１１】従来の検体の測定方法の第１の工程図
【図１２】同、第２の工程図
【図１３】同、第３の工程図
【図１４】同、第４の工程図
【図１５】本発明の実施の形態２におけるその他のＨＤＬ−コレステロール分析用ディスクの平面図
【符号の説明】
【０１００】
１１  第１のチャンバー
１２  注入口
１４  第２のチャンバー
１５  矢印
１６  第１の流路
１６ａ  頂部
２５  検体
【図１】
2006214955.tif 000003
【図２】
2006214955.tif 000004
【図３】
2006214955.tif 000005
【図４】
2006214955.tif 000006
【図５】
2006214955.tif 000007
【図６】
2006214955.tif 000008
【図７】
2006214955.tif 000009
【図８】
2006214955.tif 000010
【図９】
2006214955.tif 000011
【図１０】
2006214955.tif 000012
【図１１】
2006214955.tif 000013
【図１２】
2006214955.tif 000014
【図１３】
2006214955.tif 000015
【図１４】
2006214955.tif 000016
【図１５】
2006214955.tif 000017